(57)【要約】有効物質（１）を眼球に適用するための装置であって、絶縁層（３２）及びこの絶縁層を導電層（３４）に結合するように設計された接着剤層（３３）を含む主電極（２）を有する装置を提供する。主電極は、眼瞼に押し付けられるように設計されたゾーン（２１、２２）を有する。
2005504612.tif 000002
【特許請求の範囲】
【請求項１】
有効物質（１）を眼球に適用するための装置であって、絶縁層（３２）及び前記絶縁層を導電層（３４）に結合するための接着剤層（３３）を含む主電極（２）を有する装置において、前記主電極は、眼瞼と接触できる領域（２１、２２、２３）を有する、ことを特徴とする装置。
【請求項２】
前記主電極は楕円形の全体形状を備えていることを特徴とする、請求項１に記載の装置。
【請求項３】
前記楕円形の大きい方の直径は最大で約４０ｍｍに等しく、小さい方の直径は最大で約３５ｍｍに等しいことを特徴とする、請求項２に記載の装置。
【請求項４】
前記領域は、機能周囲領域（２２、２３）によって取り囲まれた非機能中央領域（２１）を有することを特徴とする、請求項１、２又は３に記載の装置。
【請求項５】
前記非機能中央領域は円形の全体形状を有することを特徴とする、請求項４に記載の装置。
【請求項６】
前記非機能中央領域の直径は、最大で約１３ｍｍに等しいことを特徴とする、請求項５に記載の装置。
【請求項７】
前記非機能中央領域は、前記主電極を通る孔であることを特徴とする、請求項４、５又は６に記載の装置。
【請求項８】
前記主電極は、皮膚接着剤層（３７）を追加的に有することを特徴とする、請求項１乃至７のうちのいずれか一項に記載の装置。
【請求項９】
前記主電極は、導電性接着剤層（３５）によって導電層に結合されたフォーム層（３６）を追加的に有することを特徴とする、請求項１乃至８のうちのいずれか一項に記載の装置。
【請求項１０】
前記フォーム層（３６）は、前記有効物質用リザーバとして作用する吸収剤フォーム層であることを特徴とする、請求項９に記載の装置。
【請求項１１】
前記主電極は可撓性であることを特徴とする、請求項１乃至１０のうちのいずれか一項に記載の装置。
【請求項１２】
前記絶縁層は剛性ケーシングであることを特徴とする、請求項１乃至１０のうちのいずれか一項に記載の装置。
【請求項１３】
前記有効物質はイオン導入法によって適用されることを特徴とする、請求項１乃至１２のうちのいずれか一項に記載の装置。
【請求項１４】
有効物質を眼球に適用するための電極であって、絶縁層及び前記絶縁層を導電層に結合するための接着剤層を含む電極において、眼瞼と接触できる領域を有することを特徴とする電極。
【発明の詳細な説明】
【技術分野】
【０００１】
本発明は、有効物質を経眼瞼イオン導入法で送出するための装置に関する。
【背景技術】
【０００２】
イオン導入法は、イオン化した分子を治療目的で生体膜を通して拡散させるのに電流を使用する。電流の作用により、生体膜の透過性が向上し、これにより細胞内の大きな分子を通すことができ、電界が分子をこの膜を通して押す。この技術には、従来の局所的な適用と比較して、有効物質の浸透深さが、使用された電流の強さ及び適用時間に比例して大きくなるという利点がある。
【０００３】
有効物質を眼の領域に送出するための本発明の技術は、以下に説明する五つのカテゴリーに分けることができる。
【０００４】
全身経路（経口経路又は経脈管経路）。場合によっては濃縮塊（投与量が大きく持続時間が短い）を用いる。この方法では眼内での濃度が高くならない（１％以下）。これは、多くの有効物質に対し、網膜及び中央神経系の他の部分が比較的不透過性であるためである。更に、全身経路で使用される薬物は、一つの明確なターゲット以外の身体の組織に大きな副作用を及ぼす場合がある。
【０００５】
眼の周囲で眼周囲空間内に又は硝子体に直接注入することは、外傷を非常に引起し易い。更に、硝子体に注入した後、薬物は急速に希釈され、数時間で消失してしまう。この投与方法には、感染症、出血、白内障又は網膜剥離等の危険がある。これらの問題点は、有効物質をプログラムに従って放出するための、硝子体に直接埋め込んだ眼内インプラントによって部分的に解決することができる。これらのインプラントは固体又は半固体であり、縫合され又縫合されず、埋め込みに外科手術を必要とし、非生分解性材料でできているためにこれを取り出すために第２の手術を必要とする。
【０００６】
点眼剤（溶液又は懸濁液）として配合することができる有効製品を点滴によって局所的に適用する。これは、有効物質の浸透が非常に限定されるために眼球の後区分を治療することができず、眼球の前区分を越えて治療濃度が得られない。更に、薬物が涙によって急速に洗い流されてしまうため、適用を頻繁に繰り返さなければならない。これらの問題点は、有効物質をプログラムに従って放出することができる結膜挿入体を使用することによって解決することができるが、有効物質と眼球表面との接触時間が長くなる。この解決策には、許容差が小さく、利点が小さいという欠点がある。これは、眼の後区分（網膜、視神経）での有効物質の濃度を高くすることができないということが分っているためである。
【０００７】
光力学的治療は、有効物質を全身に注入する工程、及び特定波長のレーザーを使用してこれを局所的に活性化させる工程を含む技術である。この治療の主な欠点は、患者が数日間に亘って暗いところに停まらなければならず、薬剤、即ちレーザーによって活性化されるまで活性化しないが人体内の特定の生物学的化合物に定着することができる感光性薬剤を追加することによって有効物質を変化させなければならないということである。従って、この変化は、市場に出される前に有効物質の薬物検査が、たとえ周知の医薬であったとしても、完璧に行われるということを意味する。
【０００８】
最後に、米国特許第６，１５４，６７１号に記載されているような眼球イオン導入装置がある。この文献には、有効物質が入ったリザーバが眼球と直接接触するイオン導入装置が記載されている。このような装置により、以上で引用した技術と等しいか或いはそれ以上の濃度及び眼球間滞留時間を得ることができ、しかも非侵襲性である。しかしながら、この文献に記載された技術は、長期に亘る治療に使用するため精巧な手際を要し、眼球表面が冒されている場合には使用することができない。
【特許文献１】
米国特許第６，１５４，６７１号
【０００９】
持続時間を長くする上で必要な、又は非協力的な患者に対して必要な、全身麻酔でない伝導麻酔の分野では、眼球と関連した四つの技術がある。
【００１０】
局部麻酔。これは、麻酔を結膜嚢内に局所的にしみ込ませる工程を含む。この技術は短時間であるけれども多くの手術で十分な麻酔を提供するが、眼球が動き易いために手術の質が低く、術後痛が大きい。この技術の使用中、鎮静剤が経脈管投与でしばしば使用され、これには呼吸停止の副作用がある。この場合、麻酔医が居ることが強く推奨される。
【００１１】
眼球後部麻酔。これは、眼球の後方に動眼筋肉によって形成された空間の内側に麻酔をニードルを使用して注入する工程を含む。この麻酔技術には、眼球自体を穿刺してしまう危険、眼球後部出血の危険、視神経を傷つけてしまう危険、心停止又は呼吸停止の危険、誤って麻酔を経脈管注入してしまう危険、及び網膜血管の閉塞の危険がある。しかしながら、麻酔の質及び持続時間は良好である。
【００１２】
眼球周囲麻酔。これは、動眼筋肉によって形成された空間の外側にニードルを使用して麻酔を注入する工程を含む。この技術は、以上に論じたのと同じ合併症を引き起こす場合があるが、頻度が少ない。これはニードルの穿刺深さが小さいためである。
【００１３】
最後に、カテーテルを使用する眼球後部麻酔。これは、持続時間が長い麻酔を手術のために注入することができるように、又は術後にも連続的に投与することができるように、硬膜外型のカテーテル（直径が０．４ｍｍ乃至１ｍｍ）をニードルを使用して眼球後部又は眼球周囲の空間内の所定の位置に置く工程を含む技術である。この麻酔技術に伴う危険は、上述した二つの方法と同じである。
【発明の開示】
【発明が解決しようとする課題】
【００１４】
本発明の目的は、使用が簡単であり、治療がなされるべき眼の解剖学的領域に的を絞ることができ、しかも非侵襲的な、眼球用の有効物質を送出するための装置を提供することである。
【課題を解決するための手段】
【００１５】
この目的のため、本発明によれば、有効物質を眼球に適用するための装置が提供される。この装置は、絶縁層及び絶縁層を導電層に結合することができる接着剤層を含む主電極を有し、この主電極は、眼瞼と接触できる領域を更に有する。
【００１６】
かくして、主電極は、治療が施されるべき眼の眼瞼に直接配置される。かくして、強膜の最も透過性が高い領域を治療することができ、視覚に対する危険が最も小さい（これは、眼の内側の機能のある網膜が角膜の周囲にないためである）。更に、機能的電極は眼球と直接接触しない。本装置は、眼瞼のところでの皮膚の厚さが、生体で最も小さいことによる。かくして、患者は、医師を必要とせずに装置を自身で使用することができる。このことは、実施に非常に長い時間（最大１８時間）を要するイオン導入法について有利である。これにより、眼球付属器及び眼瞼の腺の病理を治療することができる。眼瞼腺の異常は、涙膜の質の異常又は減少、及び眼球表面の病理による。
【００１７】
有利には、有効物質を眼球に適用するための装置は、以下に列挙する特徴のうちの少なくとも一つを備えている。
主電極は楕円形の全体形状を備えている、
電極の楕円形の大きい方の直径は最大で約４０ｍｍに等しく、小さい方の直径は最大で約３５ｍｍに等しい、
領域は、機能周囲領域によって取り囲まれた非機能中央領域を有する、
非機能中央領域は円形形状を有する、
非機能中央領域の直径は、最大で約１３ｍｍに等しい、
非機能中央領域は、電極を通る孔である、
主電極は可撓性である、
主電極は、皮膚接着剤層を追加に有する、
主電極は、導電性接着剤層によって導電層に結合されたフォーム層を追加に有する、
フォーム層は、有効物質用リザーバとして作用できる吸収剤層である、
絶縁層は剛性ケーシングである、
有効物質はイオン導入法によって適用される。
【００１８】
更に、本発明によれば、絶縁層及び絶縁層を導電層に結合できる接着剤層を含む電極において、眼瞼と接触できる機能周囲領域によって取り囲まれた非機能中央領域を有することを特徴とする電極が提供される。
【００１９】
本発明によれば、更に、有効物質を眼球に適用するための方法において、主電極を含む医薬リザーバを眼瞼に配置する工程、治療が施されるべき眼球と隣接した組織に戻し電極を配置する工程、及び電極間を流れる電流のエネルギの作用で有効物質を眼瞼を通して浸透させる工程を含む方法が提供される。
【００２０】
有利には、この方法は、以下の特徴のうちの一つを含む。
−主電極を眼瞼に配置する前に有効物質を眼瞼の下に配置し、
−主電極は上述の特徴のうちの少なくとも一つを含み、
−有効物質は局所的形態（液体、懸濁液、ゲル）であり、
−有効物質は挿入体の形態である。
【００２１】
本発明のこの他の特徴及び利点は、添付図面を参照して実施の形態及び変形例についての説明を読むことにより明らかになるであろう。
【発明を実施するための形態】
【００２２】
図１を参照し、有効物質をイオン導入法によって眼球に適用するための本発明による装置を説明する。装置１は電源４を含む。この電源は、一方では、戻し電極３に接続されており、他方では主電極２に接続されている。
【００２３】
電源４は、好ましくは０．５ｍＡ乃至５ｍＡ、場合によっては最大で１０ｍＡの直流電流を、好ましくは約０．５分乃至約３０分の時間に亘って、場合によっては最大で約１８時間に亘って送出する。回路を形成する組織の、イオン導入法中に変化し易い電気抵抗に従って、電源が送出する電圧は、オームの法則、即ちＶ＝Ｒ・Ｉに従うようになっている。ここで、Ｖはボルトで示す電圧であり、Ｒはオームで示す回路の全抵抗であり、Ｉはアンペアで示す選択された電流である。しかしながら、この電源が送出する電圧は８０Ｖを越えることがない。特に、時間のかかる治療の場合、酸化−還元現象の作用で電極のところでｐＨが上昇することがないように、交流電源を使用することが考えられる。交流の周波数範囲は、組織での有効物質の透過性を最大に高めることができるように選択される。この特定の場合には、戻し電極３は、心電図型でなければならず、接着剤及び低インピーダンスのＡｇ／ＡｇＣｌフィルムを含む。最後に、電源は、低い電流（エレクトロポレーション（ｅｌｅｃｔｒｏｐｏｒａｔｉｏｎ）について説明したのと同様）で、０．０１秒乃至０．１秒と非常に短い持続時間に亘って約５０Ｖ乃至２５００の、電圧のピークが非常に高い電流波形を使用できる。
【００２４】
生体膜の透過性を改善することができる他のモードを使用することができる。磁界、高周波及びマイクロ波電磁エネルギー、又は超音波エネルギーを使用する磁気泳動（ｍａｇｎｅｔｏｐｈｏｒｅｓｉｓ）を使用することができる。好ましくは、本発明による装置は、イオン導入法又はエレクトロポレーションを使用する。
【００２５】
図２を参照すると、主電極２の全体形状は楕円形である。好ましくは、その大きい方の外径は、眼窩の大きい方の外径と実質的に対応する。即ち約４０ｍｍである。同様に、その小さい方の外径は、眼窩の小さい方の外径と実質的に対応する。即ち約３５ｍｍである。これらの寸法は、標準的な成人の眼窩の大きさと対応する。治療を受ける患者の年齢及び形態に応じてこの他の大きさ及び形状が考えられる。
【００２６】
電極２は、中央非機能領域２１を有する。好ましくは、この非機能中央領域は円形形状であり、角膜と実質的に対応する直径を備えており、即ち約１３ｍｍである。優先的に、電極は非機能領域２１として作用する中央通孔を有する。
【００２７】
中央非機能領域を取り囲む機能的周囲領域は、二つのサブ領域２２及び２３を有する。機能的サブ領域２２は、角膜の周囲の強膜表面と向き合うことができる。同様に、機能的サブ領域２３は、動眼筋肉付着部が配置された眼瞼表面を覆うことができる。
【００２８】
主電極２のこの特定の形状により、使用中、角膜周囲の強膜の最大表面積及び動眼筋肉付着部が配置された眼瞼の最大表面積を覆うことができる。角膜の周囲に配置された強膜の表面の透過性が最も大きく、前記角膜の周囲の眼の内側に網膜がないため、視覚に対する危険が最も小さいということに着目すべきである。
【００２９】
一般的には、主電極２は可撓性である。かくして、主電極２は、所定の位置に置かれた場合に眼瞼と形態が一致し、眼瞼組織とできるだけ近い形状をとり、かくして眼瞼と良好に電気的に接触することができる。
【００３０】
図４に示す別の実施の形態では、電極２は剛性であってもよい。この場合、眼瞼組織とできるだけ近い形状をとり、かくして良好に電気的に接触することができるように、解剖学的相違を吸収できる可撓性材料３６０が内面にコーティングしてあるケーシング３２０の形態である。
【００３１】
次に、図３を参照して電極の構造を説明する。この図には、電極を構成する６個の材料層が断面で示してある。これらの層のうちの幾つかの層は、分るように、随意である。これらの材料層の各々は正確な機能を有している。
【００３２】
第１層３２は絶縁層である。これは、オペレータと接触することができる主電極２の部分である。これにより、残りの電極を絶縁することができる。この層は、可撓性であり且つ平らであるか或いは剛性であり且つケーシングの形態を備えている。
【００３３】
層３３は、絶縁層３２と以下に説明する導電層３４との間を結合する機能を提供する接着剤層である。更に、この接着剤層３３により、主電極２を電源４に接続する電気リード３１を導電層３４上に保持することができる。
【００３４】
層３４は導電層である。この層は銀のフィルム及びカーボンのフィルムを含み、主電極２の機能的領域の全面に亘って電流を分配する機能を有する。この導電層の銀フィルムは、接着剤層３３と向き合って配置されている。これにより電流をカーボンフィルムの表面に亘って良好に分配することができ、電気リード３１との最適の電気的接触を提供する。この場合、カーボンフィルムは、以下に説明する吸収剤フォーム層に面して配置されている。このカーボン層は、水性媒体中での直流電流による酸化に抵抗する。最も適した材料は、厚さが０．２ｍｍの銀／カーボンフィルム（レクサン・イメージ・プロダクツ社から入手できるレクサン導電性フィルム２２５２番）である。
【００３５】
層３６は随意の層である。この層は、使用前に有効物質で、又は有効物質を含む溶液で含浸することができる吸収剤フォーム層である。この理由のため、この吸収剤フォーム層は高度に吸収性でなければならず、１００μｍ乃至５００μｍ程度の小さな寸法の孔が設けられている。最も適当な材料は、例えば、０．０５ｇ／ｃｍ3 乃至０．１ｇ／ｃｍ3 程度の低密度の連続気泡親水性ポリウレタンフォームである（クレスト・フォーム社から入手できるハイドロクレスト（ハイドロクレスト（Ｈｙｄｒｏｃｒｅｓｔ）は登録商標である）、ＴＭＰテクノロジーズ社から入手できるキャプ−セル（キャプ−セル（Ｃａｐｕ−ｃｅｌｌ）は登録商標である）、ライネル社から入手できるアムレル（アムレル（Ａｍｒｅｌ）は登録商標である）、ハイドロマー社から入手できるメディセル（メディセル（Ｍｅｄｉｃｅｌｌ）は登録商標である））。この層は、有効物質が使用前にフォームに配置されるのか或いは電極を眼瞼上の所定位置に配置する前に眼瞼の下に直接配置されるのかのいずれかに応じて随意に設けられる。
【００３６】
この吸収剤フォーム層３６は、導電性接着剤層３５によって導電層３４のカーボンフィルムに結合される。この導電性接着剤は、必ずしも水溶性でなくてもよい。
【００３７】
最後に、層３７は皮膚接着剤層である。この層は、主電極が接着性があるものであるかどうかに応じて随意に設けられる。選択された接着剤の種類は、一方では、電流を導かなければならず、有効物質を通すことができなければならず、これと同時に、使用後に容易に取り外すことができるように皮膚への接着ができるだけ小さくなければならない。この皮膚接着剤層は、吸収剤フォーム層が存在する場合には、この吸収剤フォーム層に配置することができ、そうでない場合には導電層３４のカーボンフィルムに直接配置することができる。
【００３８】
一つの変形例では、接着剤層３３、導電層３４及び導電性接着剤層３５の代わりに単一の導電性接着剤層（アドヘーシブ・リサーチ社から入手できるアルケア（アルケア（ＡＲｃａｒｅ）は登録商標である））８８８１を使用する。この導電性接着剤層は、有利には、上述した全ての機能を果たす。
【００３９】
主電極２の第１の実施の形態は、皮膚接着剤層３７、導電層３４、接着剤層３３及び絶縁層３２を含む可撓性電極である。
【００４０】
主電極２の第２の実施の形態は、皮膚接着剤層３７、吸収剤フォーム層３６、導電性接着剤層３５、導電層３４、接着剤層３３及び絶縁層３２を含む可撓性電極である。
【００４１】
主電極２の第３の実施の形態は、皮膚接着剤層３７、解剖学的相違を吸収し、使用中にできるだけ眼瞼組織に近い形状をとるようになった可撓性材料として作用するフォーム層３６、導電性接着剤層３５、導電層３４、接着剤層３３及びケーシングを形成する剛性絶縁層３２を含む、ケーシング形態の剛性電極である。
【００４２】
最後に、主電極２の第４の実施の形態は、以上に説明した第３の実施の形態と同じであり、フォーム層の代わりに吸収剤フォーム層３６を使用する。
【００４３】
本発明の電極及びその装置の使用態様を説明する。
【００４４】
医師又は患者自身であるオペレータは、主電極２の第１及び第３の実施の形態の範疇で、有効物質又は有効物質を含む溶液を、治療がなされるべき眼の眼瞼の下に置き、次いで、主電極２を眼瞼上に置き、治療が施されるべき眼球の隣接組織上に戻し電極３を置く。次に、電極を電源に接続し、所定の電流及び所定の適用時間に従って回路アッセンブリに電力を加える。次いで、電極を取り外す。
【００４５】
主電極２の第２及び第４の実施の形態の場合では、オペレータは吸収剤フォーム層に有効物質又は有効物質を含む溶液をしみ込ませる。次いで、主電極を治療が施されるべき眼球の眼瞼上に位置決めし、戻し電極を治療が施されるべき眼球を取り囲む組織に置く。次に、オペレータは以上に説明したのと同じ作業を行う。
【００４６】
本発明による装置によって投与することができる様々な医薬又は有効物質は、定期的に又は長期に亘って適用する必要がある。これは、例えば、コルチコステロイド、又は非ステロイド系抗炎症剤（デキサメタゾン、メチルプレドニソロンヘミコハク酸塩等）の場合であり、これらは、慢性炎症の場合、非常に長い期間に亘って投与を続けなければならない。
【００４７】
更に、抗アレルゲン剤、神経保護剤、神経変調剤、抗緑内障剤、抗生物質、抗血管形成剤、抗神経剤及び麻酔薬が含まれる。この他の多くの分子は、このプロセスにおいて、網膜の変性病理学で観察される新血管新生の速度が低下し、場合によっては停止することが分った。分子は、イオン導入法によって経強膜経路で、又は硝子体注入及び次いでイオン導入法によって伝達される。本発明によるイオン導入装置により、以上から分るように、医薬を簡単に投与することができる。
【００４８】
有効物質を適用するための本発明による装置の別の適応症は、眼瞼又は眼を回転移動できる眼窩内の６本の動眼筋肉の局所麻酔に関する。これらは、内直筋、外直筋、上直筋、下直筋、上斜筋、及び下斜筋である。これらに眼瞼の挙筋、及び眼輪筋（麻酔手術、眼球突出や眼瞼下垂の治療の対象）が加えられる。この適応症により眼瞼を動かなくすることができ、及び／又は外科手術に関して眼を動かなくできる。
【００４９】
眼球に有効物質を適用するための本発明による装置の他の使用態様は、反復して適用する必要がないが、例えば眼球表面の外傷や手術の術後効果といった生理学的理由のため、角膜や強膜と直接接触する装置によって投与することができない有効物質に関する。決定された有効物質には、上掲の有効物質のうち、例えば、抗生物質、抗炎症剤又は抗真菌剤が含まれる。
【００５０】
勿論、本発明の範囲から逸脱することなく、本発明に多くの変更を行うことができる。
【００５１】
例えば、眼球と隣接した組織に配置された戻し電極３を主電極２に非導電性フィルム５０によって接続することもできる。主電極２は、図５ａ及びｂに示すように、治療が施されるべき患者のこめかみに配置される。
【００５２】
二つの主電極２（各眼に１つずつ）をマスク１００（例えば航空機で使用されるアイマスク等）に設けることができ、電源（構成要素４３）と関連した戻し電極３を患者の前額部に優先的に配置することができ、主電極に電気リード３１によって図６ａに示すように接続することができる。マスク１００はヘッドバンド等の弾性手段によって患者の頭部に保持されるということに着目すべきである。
【００５３】
以上に説明した構成の図６ｂに示す変形例では、戻し電極及び電源（構成要素４３）を、有利には、二つの主電極２を含むマスク１００を保持するための弾性ヘッドバンドの内側に配置することができる。その結果、戻し電極は一方のこめかみに（又は戻し電極が二つある変形例の配置では両こめかみに）設けられる。この場合、弾性保持手段は、例えば導電性トラックの形態で実施される弾性リードとしても役立つ。
【００５４】
図６ｃは、レンズの代わりに二つの主電極２が配置された眼鏡１２０を示す。電源４は、眼鏡１２０のフレームに設置され、一方では二つの電極２に接続されており、他方では戻し電極３０に接続されている。これらの戻し電極は、好ましくは、患者の頬の頂部の皮膚と接触するが絶縁されているように主電極２の下に配置されるか或いは、患者の耳の後側の皮膚と接触するように眼鏡１２０のつるの端部に配置される。
【００５５】
図７は別の変形例を示す。この変形例では、二つの主電極２がキャップ１１０に取り付けられており、電源及び戻し電極を含む構成要素４３もキャップ１１０に取り付けられている。
【００５６】
図６ａ、図６ｂ及び図６ｃ、及び図７に示す四つの変形例では、戻し電極は、こめかみ、前額部、頬等の、眼球を取り囲む顔面組織に配置することができる。更に、電源が関連付けられていてもよいししていなくてもよい。変形例では、主電極２及び戻し電極３に電線で接続された電源を所定距離のところに配置する。これとは異なる場合では、接続線を、例えば導電性トラックの形態で装置と一体化することができる。
【００５７】
これらの四つの実施の形態は、糖尿病性網膜症、加齢と関連した黄斑変性及び色素性網膜炎等の変性病理学の治療に良好に適している。これは、例えば、これらの病理学について、両眼が冒される可能性が高い（全体の５０％程度）ということが周知であるためであるこの場合、両眼を同時に治療するか或いは一つの同じ時間間隔で交互に治療する必要がある。
【図面の簡単な説明】
【００５８】
【図１】有効物質を眼球に適用するための本発明による装置の概略図である。
【図２】本発明による主電極の平面図である。
【図３】図２の主電極の概略断面図である。
【図４】変形例による図２の主電極の概略断面図である。
【図５】図５ａ及び図５ｂは、眼球有効物質を適用するための本発明による装置の第１の変形例を示す概略図である。
【図６】図６ａ、図６ｂ及び図６ｃは、眼球有効物質を適用するための本発明による装置の第２の変形例を示す概略図である。
【図７】有効物質を眼球に適用するための本発明による装置の第３の変形例を示す概略図である。
【国際公開パンフレット】
2005504612.tif 000003
2005504612.tif 000004
2005504612.tif 000005
2005504612.tif 000006
2005504612.tif 000007
2005504612.tif 000008
2005504612.tif 000009
2005504612.tif 000010
2005504612.tif 000011
2005504612.tif 000012
2005504612.tif 000013
2005504612.tif 000014
2005504612.tif 000015
2005504612.tif 000016
2005504612.tif 000017
2005504612.tif 000018
2005504612.tif 000019
2005504612.tif 000020
2005504612.tif 000021
2005504612.tif 000022
2005504612.tif 000023
2005504612.tif 000024
2005504612.tif 000025
2005504612.tif 000026
2005504612.tif 000027
2005504612.tif 000028
【国際公開パンフレット（コレクトバージョン）】
2005504612.tif 000029
【国際調査報告】
2005504612.tif 000030
2005504612.tif 000031
2005504612.tif 000032
2005504612.tif 000033
2005504612.tif 000034
2005504612.tif 000035